(57)【要約】【課題】二次転写部への用紙の突入による衝撃を二次転写部のみで受け、一次転写部へ衝撃が伝播することを完全に防止できる転写装置、及び同転写装置を用いた画像形成装置を提供する。【解決手段】画像形成装置１００の装置筐体１１０に支持され、像担持体１からのトナー像を１次転写部ａ１で１次転写した後、トナー像を２次転写部ａ２に搬送し２次転写部に供給された記録媒体Ｐに２次転写する中間転写体６と、中間転写体を架設ローラ７、５０を介し架設し装置筐体に装着するフレーム６０、７０と、を有し、フレームが１次転写部のローラ５と中間転写体の架設ローラ７、５０を支持する第一フレーム６０と、２次転写部を支持する第二フレーム７０とから構成される。【選択図】図２
2014085601.tif 000002
【特許請求の範囲】
【請求項１】
画像形成装置の装置筐体に支持される転写装置であって、
像担持体からのトナー像を１次転写部で１次転写した後、該トナー像を２次転写部に搬送し該２次転写部に供給された記録媒体に２次転写する中間転写体と、
前記中間転写体を支持し前記装置筐体に装着するフレームと、を有する転写装置において、
前記フレームが、
前記１次転写部のローラと前記中間転写体の架設ローラを支持する第一フレームと、
前記２次転写部を支持する第二フレームとから構成される、ことを特徴とする転写装置。
【請求項２】
請求項１記載の転写装置において、
前記中間転写体が２次転写部を成す２次転写対向ローラと２次転写ローラとで挟持する記録媒体に前記トナー像を２次転写し、
前記第二フレームが２次転写部の２次転写対向ローラを支持する、ことを特徴とする転写装置。
【請求項３】
請求項１又は２記載の転写装置において、
前記第一フレームが、前記１次転写部の一次転写ローラと前記中間転写体の搬送方向の前後に配備の複数の架設ローラを支持する、こと特徴とする転写装置。
【請求項４】
請求項１〜３の何れか１つに記載の転写装置において、
前記第一フレームと第二フレームとが相対変位可能に連結されていること、を特徴とする転写装置。
【請求項５】
請求項１〜３の何れか１つに記載の転写装置において、
前記第一フレームと第二フレームとが各々独立して、互いに非接触で、装置筐体に位置決め支持され、収納されること、を特徴とする転写装置。
【請求項６】
請求項４の転写装置において、
前記第二フレームが、第一フレームに弾性部材を介して連結されている、ことを特徴とする転写装置。
【請求項７】
請求項６の転写装置において、
前記弾性部材がバネであること、を特徴とする転写装置。
【請求項８】
請求項６の転写装置において、
前記弾性部材がゴムであること、を特徴とする転写装置。
【請求項９】
像担持体と、
前記像担持体上に潜像を形成する潜像形成手段と、
前記像担持体上の潜像にトナーを付着させて顕像化する現像手段と、
前記像担持体上の画像を中間転写体に一次転写した後、該中間転写体上の一次転写画像を記録媒体に二次転写する転写装置と、
前記記録媒体を前記転写装置の二次転写部に搬送する転写材搬送手段と、
前記転写材に転写された画像を定着する定着手段と、
を備えた画像形成装置において、
前記転写装置として、請求項１乃至８のいずれか１項に記載の転写装置を備えたことを特徴とする画像形成装置。
【請求項１０】
請求項９記載の画像形成装置において、
前記像担持体を前記中間転写体に沿って複数並設し、各像担持体上にトナー色の異なる画像を形成して前記中間転写体に重ね合わせて一次転写した後、該中間転写体上の一次転写画像を前記記録媒体に二次転写して多色画像もしくはフルカラー画像を形成することを特徴とする画像形成装置。
【発明の詳細な説明】
【技術分野】
【０００１】
本発明は、電子写真方式の画像形成装置に装備される中間転写方式の転写装置と、その転写装置を備えた複写機、プリンタ、プロッタ、ファクシミリ、あるいはこれらの複合機等の画像形成装置に関するものである。
【背景技術】
【０００２】
電子写真印刷方式の画像形成装置は、像担持体（例えば感光体）の周囲に帯電、露光、現像、転写、除電、クリーニング等の各手段を配して構成する。感光体表面をコロナ放電等により一様に帯電させ、印刷すべき文字等に対応した露光を行うことにより静電潜像を形成させ、トナーで現像する。その後、トナー像を転写装置が備える無端ベルト状の中間転写体（中間転写ベルト）に当接し、バイアス印加によりトナーを中間転写ベルト上に転写させる。更に、中間転写ベルト上のトナーを記録紙（転写媒体）の上に転写させてから、トナーを転写させた記録紙を加熱、加圧することによりトナー像を定着させて印刷を完了する。転写が済んだ感光体表面は、除電、クリーニング（清掃）し、次の複写工程を繰り返す。
【０００３】
この画像形成装置で用いる転写装置として、例えば、無端ベルト状の中間転写体（中間転写ベルト）上へのトナー像転写を行なった後、中間転写体から転写媒体に再度転写するベルト転写装置が用いられている。この中間転写ベルトを使用した転写装置は、これを転写媒体へのトナー画像転写に用いる場合、転写媒体の種類や状態に関わらず感光体からの転写媒体の安定した分離が期待でき、また、複数回の転写を容易に行なうことができる。
更にフルカラー画像形成装置は、一次転写工程を色ごとに繰り返す際、転写材の種類に影響を受けずに多色画像やフルカラー画像の安定した形成が可能であり、また、転写媒体を感光体に巻きつける必要が無いため、転写材の搬送経路を直線上に構成でき、多種の転写材を使用することが可能である。
【０００４】
ところで、プロダクションプリンター市場（企業の社内印刷部門やプリントショップなどを対象とした軽印刷）のような大量の印刷を行う業界で使用される電子写真機器においては、年々、高画質化の要求が高まってきている。
画像形成装置（プリンター）の異常画像は多々存在するが、像担持体（例えば感光体ドラム）上の画像を一旦中間転写ベルトに転写して（一次転写）、その後、用紙などの記録媒体に転写（二次転写）する中間転写機構を備えたプリンターにおいて、ショックジターと呼ばれる横黒スジの異常画像がある。
このショックジターの要因の一つは、二次転写部への用紙突入の衝撃によって、二次転写部のベルト架設ローラの一つである２次転写対向部材（ローラ）や中間転写ベルトが衝撃を受け、その衝撃が一次転写部に伝播し、一次転写部が振動し、画像ムラが発生することにある。
【０００５】
そこで、このショックジターを低減するための技術として、例えば、二次転写部の２次転写対向部材（ローラ）や転写ローラに弾性材を使用して、用紙の突入の衝撃を和らげるといった技術がすでに知られている。更に、特許文献１には二次転写部への用紙突入による画像乱れを軽減する目的で架張手段の摩擦力でベルト変位を抑制する技術が開示される。ここで第一転写手段は中間転写ベルト駆動ローラの中間転写体搬送方向上流側であり、中間転写体を挟んで像担持体と対向する位置に配置され、第二転写手段は中間転写体に用紙を押し付ける転写ローラであり、駆動ローラの中間転写体搬送方向下流側に配置される。第二転写手段の中間転写体搬送方向下流側の第一転写手段と第二転写手段の間に、第一中間転写体架張手段を配置し、二次転写部の中間転写体搬送方向上流側の一次転写部と二次転写部の間に、第二中間転写体架張手段を配置する。このような二つの架張手段によって、衝撃による搬送速度の変動が第一の転写手段に伝わるのを防止でき、画像の乱れを防止できる構成が開示されている。
【０００６】
更に、特許文献２に記載の画像形成装置では、メンテナンス時に画像形成装置本体に対して中間転写ベルト装置が引き出された状態が続いた場合に、装置のフレーム部にかかる力に対する強度を効率的に高めるよう構成される。この中間転写ベルト装置では、前方からみてベルト部材の内周よりも小さな投影面を有する前フレームを後フレームに対して片持ち支持する。しかも、画像形成装置本体からフレーム部が引き出されたときに装置にかかる力に対する強度を効率的に高めるよう構成されている。このために、装置のフレーム部に変形が生じることなく、中間転写ベルト装置のフレームが変形することに起因し、出力画像中に異常画像が生じ、画像品質に影響を与えてしまう不具合を防止している。
【発明の概要】
【発明が解決しようとする課題】
【０００７】
このように、上述の特許文献１によれば、ショックジター低減に起因する出力画像中の異常画像低減を図るようにした技術が存在し、原因である用紙突入の衝撃が中間転写ベルトを伝播して一次転写部に伝わることを防止する効果が得られる。更に、上述の特許文献２によれば、フレーム変形に起因する出力画像中の異常画像低減を図る効果が得られる。
しかし、上述の特許文献１、２の技術では、二次転写部より一次転写部に向かう中間転写ベルト以外の伝播経路を伝わる衝撃を低減させることができない。即ち、二次転写部より転写装置のフレーム側を伝播経路として一次転写部に伝播する衝撃を低減し、衝撃を和らげることができず、一次転写部が受ける衝撃を完全に無くすことはできない。このため、用紙厚や印刷速度などの特定の条件によっては、フレーム側を伝播経路した衝撃を起因としたショックジターが発生してしまうという問題があった。
【０００８】
本発明は、中間転写機構の、二次転写部を一次転写部を支持するフレーム部とは別のフレーム部により支持して装置筺体側に位置決め支持できるフレームを用い、二次転写部への用紙の突入による衝撃を二次転写部のみで受け、一次転写部へ衝撃が伝播することを完全に防止できる転写装置、及び同転写装置を用いた画像形成装置を提供することを目的とする。
【課題を解決するための手段】
【０００９】
上記目的を達成するために、本発明は、画像形成装置の装置筐体に支持される転写装置であって、像担持体からのトナー像を１次転写部で１次転写した後、該トナー像を２次転写部に搬送し該２次転写部に供給された記録媒体に２次転写する中間転写体と、前記中間転写体を架設ローラを介し架設し前記装置筐体に装着するフレームと、を有する転写装置において、前記フレームが、前記１次転写部のローラと前記中間転写体の架設ローラを支持する第一フレームと、前記２次転写部を支持する第二フレームとから構成される、ことを特徴とする。
【発明の効果】
【００１０】
本発明によれば、中間転写体の架設ローラ及びその間の１次転写部を支持する第一フレームと、中間転写体の他の架設ローラを支持する第二フレームとを装置筐体にそれぞれ位置決めする。これにより、１次転写部と２次転写部とに中間転写体が巻き掛けされ、この状態で第二フレーム側の２次転写部に転写紙の突入時の衝撃が加わっても、衝撃を二次転写部及び第二フレームで受けるので、装置筐体に拡散されるものの、別体である第一フレームに衝撃が伝達されず、ショックジターの発生を抑えることができ、転写装置（中間転写機構）内の１次転写部材（部）の振動による画像乱れの発生を防止することができる。
【図面の簡単な説明】
【００１１】
【図１】本発明の第１実施形態である画像形成装置を成すタンデム型レーザプリンタの概略図である。
【図２】図１の画像形成装置の転写装置を示す概略構成図である。
【図３】図１の画像形成装置の転写装置における概略平面図である。
【図４】図１の画像形成装置の転写装置における概略側面図である。
【図５】第２実施形態の画像形成装置の転写装置における概略平面図である。
【図６】図５の画像形成装置の転写装置における概略側面図である。
【図７】図５の転写装置における第一、第二フレームの連結部を示し、（ａ）は同部分の拡大側断面図、（ｂ）は拡大部分正面図である。
【図８】第３実施形態の画像形成装置の転写装置を示し、（ａ）は第一、第二フレームの連結部の部分正面図、（ｂ）は同部分の拡大側断面図、である。
【発明を実施するための形態】
【００１２】
本発明は、画像形成装置の転写装置である中間転写装置に際して、以下の特徴を有する。要するに、像担持体（感光体ドラム）上のトナー像を中間転写体（中間転写ベルト）上に転写（一次転写）し、さらに、中間転写ベルト上のトナー像を記録媒体（記録紙）に転写（二次転写）する転写装置である。ここで、一次転写部と二次転写部を互いに独立させ、それぞれ別のフレームで支持することで、記録紙が二次転写部に突入した際に生じる衝撃を二次転写部で受け、転写装置内の一次転写部へ衝撃が伝播することを防止することが特徴になっている。
以下、図を参照して本発明の実施形態を説明する。実施形態及び変形例等に亘り、同一の機能もしくは形状を有する部材や構成部品等の構成要素については、判別が可能な限り同一符号を付すことにより一度説明した後ではその説明を省略する。
【００１３】
図１は本発明の実施形態１を示す画像形成装置の一例をなすプリンタ１００の要部を示す。
プリンタ１００はタンデム型のフルカラー電子写真装置を成し、４つの感光体ユニット１０Ｙ、１０Ｍ、１０Ｃ、１０Ｋを用い、イエロー（Ｙ）、マゼンタ（Ｍ）、シアン（Ｃ）、ブラック（Ｋ）の４色のトナーを重ね合わせてカラー画像を形成する。
【００１４】
各感光体ユニットの感光体ドラム１Ｙ、１Ｍ、１Ｃ、１Ｋ（代表記載では１と記す）は、帯電ローラ（帯電ブラシ、帯電チャージャでもよい）から成る帯電装置２Ｙ、２Ｍ、２Ｃ、２Ｋにより表面が一様な電位となるように帯電される。更に、感光体ドラム１には各色の画像情報に応じた静電潜像を書き込むレーザ走査方式の露光部（ＬＥＤアレイ方式、液晶シャッタ方式の光書込み装置であればよい）１３からの光３Ｙ、３Ｍ、３Ｃ、３Ｋ（代表記載では３と記す）が照射される。これにより、画像情報に応じた感光体ドラム１Ｙ、１Ｍ、１Ｃ、１Ｋへの書き込み露光が行われ、それら感光体表面に静電潜像が形成される。
【００１５】
感光体表面上の静電潜像の部分には、現像装置４Ｙ、４Ｍ、４Ｃ、４Ｋ（代表記載では４と記す）により潜像にトナーを付着させて顕像化する。作像部で感光体１Ｙ、１Ｍ、１Ｃ、１Ｋに顕像化された一次転写画像であるトナー像は、その後、１次転写部ａ１において１次転写ローラ５Ｙ、５Ｍ、５Ｃ、５Ｋ（代表記載では５と記す）に搬送される。ここで１次転写ローラ５に印加したバイアスの作用により、転写材搬送手段である中間転写ベルト６の表面に転写される。
ここでの現像装置４Ｙ、４Ｍ、４Ｃ、４Ｋはトナー層を担持し感光体ドラム１にトナーを接触させて現像する現像ローラとトナーを収納したトナーホッパとを有し、装置筐体１１０上部に各色の現像装置４にトナーを供給するトナーボトル１０を配備する。
更に、感光体１Ｙ、１Ｍ、１Ｃ、１Ｋは１次転写部ａ１通過後にクリーニング部８Ｙ、８Ｍ、８Ｃ、８Ｋ（代表記載では８と記す）で、残留トナーを除去している。
【００１６】
作像部の互いに並設された４つの各感光体ユニット１０Ｙ、１０Ｍ、１０Ｃ、１０Ｋの下には、転写装置の要部を成す無端ベルト状の中間転写体（以下、中間転写ベルトと言う）６が配備される。図１に示すように、このように配備された中間転写ベルト６の外側の直状の上向き面には、同面に沿ってトナー色の異なる各感光体１Ｙ、１Ｍ、１Ｃ、１Ｋが複数並設される。各感光体１に形成されたトナー像は、１次転写部ａ１で順番に位置を合わせするようにして転写される。
転写装置の要部を成す無端ベルト状の中間転写ベルト６はフレームに複数の架設ローラを介して支持され、フレームは後述するように、装置筐体１１０に装着されており、フレーム部により中間転写ベルト６が装置筐体１１０に駆動可能に支持される。
【００１７】
中間転写ベルト６はベルト駆動ローラ７、テンション付加ローラ５０、２次転写対向ローラ１１、補助ローラ２６を含む複数の架設ローラに張架されて、一定速度で中間転写ベルト６である中間転写体の搬送方向Ｒに駆動されている。ここでベルト駆動ローラ７はモータＤＭ（図３参照）等の駆動源により回転駆動されている。なお、図１で符号２７１はベルトクリーナと、クリーナ対向ローラ２７２である。
中間転写ベルト６上に形成されたフルカラーのトナー像は、２次転写部ａ２で記録媒体である記録紙Ｐ上に転写される。記録紙Ｐは画像形成装置の下部の給紙部２８に貯蔵される。選択されたサイズの記録紙Ｐを貯容した給紙部２８の給紙ローラ４１が駆動されることで、搬送経路２１に沿って搬送されてきた記録紙Ｐが、レジストローラ対８で先端位置を調整されて、２次転写部ａ２へ送られる。
【００１８】
２次転写部ａ２では、中間転写ベルト６の外側に配置された２次転写ローラ９と、中間転写ベルト６のループ内側に配置された２次転写対向ローラ１１との間に電界を形成し、記録紙Ｐにトナー像を転写する。２次転写対向ローラ１１は、中間転写ベルト６の厚さ方向に加圧され、中間転写ベルト６に接しながら、また記録紙Ｐへの転写時には記録紙Ｐに接触しながら連れ回っている。なお、感光体ドラム１からのトナー像を中間転写ベルト６に１次転写部ａ１で転写する。その後、中間転写ベルト６により２次転写部ａ２に搬送したトナー像を２次転写部の一対のローラ９、１１により挟持した記録紙Ｐに２次転写してフルカラー画像を形成する構成部が転写装置Ｍ１の要部を成している。
２次転写部ａ２では、一対のローラである中間転写ベルト６の外側に配置された２次転写ローラ９と、中間転写ベルト６のループ内側に配置された２次転写対向ローラ１１との間に電界を形成し、記録紙Ｐにトナー像を転写する。
【００１９】
２次転写ローラ９は２次転写フレーム７５に軸受けＢ３を介して支持される。この２次転写フレーム７５は、装置筐体１１０に支点ピン７６（図２参照）を介して２次転写対向ローラ１１側に不図示のバネの弾性力で付勢されている。その状態で２次転写フレーム７５は装置筐体１１０側のブラケット１１１に揺動可能に支持される。ここで、２次転写フレーム７５には２次転写ローラ９とその左右に配備の１対の支持ローラ９１１、９１２にわたり架設された無端ベルトである２次転写ベルト９１０が巻き掛けられて支持されている。この２次転写ベルト９１０は中間転写ベルト６の厚さ方向に加圧され、中間転写ベルト６に接しながら、また記録紙Ｐへの転写時には記録紙Ｐに接触しながら連れ回っている。このため、２次転写部ａ２に達した記録紙Ｐの厚さにばらつきがあっても、２次転写ベルト９１０の働きで、２次転写ローラ９と２次転写対向ローラ１１間への記録紙Ｐの突入、抜け出しに伴う衝撃を低減でき、記録紙Ｐに２次転写できる。
【００２０】
転写装置Ｍ１の２次転写部ａ２において、トナー像を転写された記録紙Ｐは、定着装置１２に搬送され、そこを通過する際に加熱、加圧により、トナー像が記録紙Ｐに定着される。このような転写装置Ｍ１を備えることで、フルカラー画像を形成するプリンタ（画像形成装置）１００を容易に構成できる。
ところで、本実施形態１では、感光体ドラム１上のトナー像を中間転写ベルト６に一次転写し、さらに、中間転写ベルト６上のトナー像を記録紙Ｐに二次転写する転写装置Ｍ１におけるフレームに特徴がある。ここでは一次転写部ａ１と二次転写部ａ２を、それぞれ別のフレーム６０、７０で支持する。これにより、記録紙Ｐが二次転写部ａ２に突入した際に生じる衝撃を二次転写部ａ２で受け、一次転写部ａ１へ衝撃が伝播することを防止している。以下、転写部の特徴構成の説明を追加する。
【００２１】
本実施形態１での転写装置（中間転写機構）Ｍ１は、図1に示すように、タンデム型のフルカラー電子写真装置を成すプリンタ１００の装置筐体１１０の内部に配備される。
図2に示すように、無端の中間転写ベルト６は、ベルト駆動ローラ７、テンション付加ローラ５０、２次転写対向ローラ１１、補助ローラ２６を含む複数の架設ローラに張架されている。この内、ベルト駆動ローラ７、テンション付加ローラ５０、及び一次転写ローラ５Ｙ、５Ｍ、５Ｃ、５Ｋは第一フレーム６０に各軸受けＢ１を介して支持されている。２次転写対向ローラ１１は第二フレーム７０に軸受けＢ２を介して支持され、２次転写対向ローラ１１と対向配備の２次転写ローラ９は２次転写フレーム７５に軸受けＢ３を介して支持される。
このように、転写装置（中間転写機構）Ｍ１のフレームは第一フレーム６０と第二フレーム７０とからなり、互いに独立形成され、相対変位可能に連結される。なお、上述のように２次転写フレーム７５（図４、９参照）も独立形成され、装置筐体１１０に上下揺動可能に支点ピン７６（図１参照）を介して支持される。
【００２２】
図２，３に示すように、第一フレーム６０は、前フレーム６１、後フレーム６２、及び前フレームと後フレームをつなぐ平面視でコ字形のメインフレーム６３からなり、これらのフレームは鋼板で形成されている。前フレーム６１と後フレーム６２は、軸受Ｂ１を介して、上述の架設ローラ（ベルト駆動ローラ７、テンション付加ローラ５０、補助ローラ２６）を回動可能に支持している。
転写装置（中間転写機構）Ｍ１の第一フレーム６０は保持フレームであるコ字形のメインフレーム６３に保持され、スライドレール８０を介して、スライド移動可能に装置筐体（装置本体）１１０に収納されている。スライドレール８０は、スライドレール保持部８１とスライダー部８２からなり、スライドレール保持部８１は装置筐体１１０にネジ等で固定されている。メインフレーム６３の左右前端の前面には、それぞれ左右の固定板８３が固着され、固定板８３が不図示のネジで本体支持片８４と固定されている。
【００２３】
第一フレーム６０の下部には、図２に示すように、中間転写ベルト６上のトナー像を記録紙Ｐに転写するための二次転写部ａ２が配設され、この二次転写部ａ２は二次転写ユニット７５として構成される。この二次転写ユニット７５は、２次転写対向ローラ１１が中間転写ベルト６に接するように設置されており、中間転写ベルト６を挟んで、２次転写ローラ９と対向する位置に二次転写ローラ９を設置している。２次転写対向ローラ１１は、第一フレーム６０とは異なる第二フレーム７０によって支持されている。
図４に示すように、第二フレーム７０も、第一フレーム６０と同様に前フレーム７１、後フレーム７２、及び前後フレームをつなぐメインフレーム７３の板材から構成されており、これらフレームは鋼板から形成されている。前フレーム７１と後フレーム７２は、軸受けＢ２を介して、各ローラを回動可能に支持している。
【００２４】
図４に示すように、第一フレーム６０の下部にはピン５１、第二フレーム７０の上部には穴５２がそれぞれ備えられており、穴５２がピン５１と嵌合することによって、第二フレーム７０は第一フレーム６０に変位可能に連結されている。
第一フレーム６０と第二フレーム７０には各々、独立部材として搭載したときの位置決め機構が備えられている。
第一フレーム６０には、二箇所の基準穴ｎ１が設けられており、装置筐体（装置本体）１１０側に設けられた位置決め用のピンｓ１と嵌合することで、位置が決定される。第二フレーム７０は、第一フレーム６０と異なる二箇所の基準穴ｎ２が設けられており、装置筐体（装置本体）１１０側に設けられた位置決め用の位置決め用ピンｓ２が本体側に設けられている。
【００２５】
第一フレーム６０と第二フレーム７０が各々、位置決めされて装置筐体（装置本体）１１０に搭載されると、第一フレーム６０と第二フレーム７０を連結している連結ピン５１と穴５２（図４参照）には、すき間αができる。この第一フレーム６０と第二フレーム７０は直接接することなく各々独立して、互いに非接触で、装置筐体（装置本体）１１０に収容され、第一フレーム６０と第二フレーム７０は物理的なつながりのない構成となっている。
このように転写装置（中間転写機構）Ｍ１のフレームが第一フレーム６０と第二フレーム７０とに分離されるが、装置筐体１１０に対しては各々位置決めされるので、装置筐体１１０内への収納時には、従来の一体フレームと同様に中間転写体を精度良く架設できる。
【００２６】
第一フレーム６０と第二フレーム７０が装置筐体（装置本体）１１０に支持されることでその位置決め機構により、装置筐体１１０に対して１次転写部ａ１と２次転写部ａ２を位置決めできる。これにより、１次転写部の駆動ローラ７とテンション付加ローラ５０、一次転写ローラ５Ｙ、５Ｍ、５Ｃ、５Ｋ、及び２次転写部ａ２の２次転写対向ローラ１１とに巻き掛けされた中間転写ベルト６が確実に適正位置に架設される。
この状態で第二フレーム７０の２次転写対向ローラ１１に転写紙Ｐの突入時の衝撃が加わっても、別体である第一フレーム６０に衝撃が直接伝達されない。しかも、第二フレーム７０の衝撃が装置筐体１１０に拡散されるので、ショックジターの発生を抑えることができ、転写装置（中間転写機構）内の１次転写部ａ１の振動による画像乱れの発生を防止できる。
このような転写装置（中間転写機構）Ｍ１は、本体収納時には、図３、４に示すように、前述の通り、第一フレーム６０、第二フレーム７０は各々異なる位置決めピンｓ１、ｓ２によって本体側の装置筐体１１０に保持されている。
【００２７】
転写装置（中間転写機構）Ｍ１を装置筐体１１０（本体）から引き出すと、図５、６に示すように、第一フレーム６０、第二フレーム７０とも本体の位置決めピンｓ１、ｓ２との嵌合から外れる。第一フレーム６０は、スライドレール８０によって支持され、第二フレーム７０は、第一フレーム６０のピン５１に、第二フレームの穴５２が引っ掛かることで第二フレーム７０は第一フレーム６０に支持される。このようにして、第二フレーム７０と第一フレーム６０に支えられながら、転写装置（中間転写機構）Ｍ１が本体から引き出される。
ここで、上述したように、二次転写ローラ９は、良好な転写性を確保する為に弾性部材であるバネなどに押圧されて中間転写ベルト６を挟んで二次転写対向ローラ１１に圧接している。特に、厚紙などコシの強い用紙が二次転写部ａ２に突入すると、二次転写ローラ９が圧接しているため、二次転写ローラ９及び二次転写対向ローラ１１に衝撃が加わる。この衝撃によって二次転写ローラ９、二次転写対向ローラ１１は振動し始め、この振動が、ローラ１１からフレーム７０へと振動が伝播する。
しかしながら、二次転写対向ローラ１１を支持する第二フレーム７０が、一次転写ローラ５を支持する第一フレーム６０から独立して装置筐体１１０（本体）に支持されている。このため、第二フレーム７０が衝撃を受けても別体である第一フレーム６０の一次転写部ａ１に伝播することはない。更に、第二フレーム７０の基準穴ｎ２より位置決め用のピンｓ２を経て装置筐体１１０側に衝撃を拡散できる。このため、一次転写ローラ５の振動による画像乱れ、ショックジターの発生を防止することができる。
【００２８】
上述の第１実施形態では、第一フレーム６０と第二フレーム７０が各々、位置決めされて装置筐体（装置本体）１１０に搭載される際に、第一フレーム６０と第二フレーム７０を連結している連結ピン５１と穴５２（図４参照）には、すき間αができていた。
これに対し、図７（ａ）、（ｂ）に示すように第一フレーム６０と第二フレーム７０を連結している連結ピン５１と穴５２との嵌合部にゴム製のブッシュ５４などを用いて、弾性的に第一フレーム６０が第二フレーム７０を相対変位可能に支持するようにしてもよい。この第２実施形態では、すき間αを埋めるようにブッシュ５４が配備されことにより、両フレーム６０、７０の相対的なガタを最小にできる。
【００２９】
更に、装置筐体１１０に収納した際の精度を確保し、かつ第二フレーム７０側の二次転写部ａ２に記録紙Ｐが突入した際の衝撃を、ブッシュ５４（弾性部材）の弾性変位により減衰する。このため、衝撃を一次転写部ａ１（第一フレーム）側に伝えないようにできるし、第二フレーム７０の基準穴ｎ２より位置決め用のピンｓ２を経て装置筐体１１０側に衝撃を拡散できる。更に、中間転写ベルト６は、第一フレーム６０と第二フレーム７０とで構成されるフレーム（中転フレーム）に巻き掛け支持される。この状態で第一フレーム６０と、第二フレーム７０とが弾性材で連結されるので、装置筐体１１０から同時に引き出し可能となり、従来の一体フレームと同様のベルト着脱性が得られる。
【００３０】
上述の第２実施形態では、図７（ａ）、（ｂ）に示すように第一フレーム６０と第二フレーム７０を連結している連結ピン５１と穴５２との嵌合部にゴム製のブッシュ５４などを用いて、第一フレーム６０が第二フレーム７０を相対変位可能に支持されていた。ここで第３実施形態ではブッシュ５４に代えて、弾性部材としてバネ５６を用いてもよい。この第３実施形態は、図８（ａ）、（ｂ）に示すように構成される。ここで、第一フレーム６０側の連結ピン５１１のフランジ５１２と第二フレーム７０側の穴５２１との嵌合部にすき間αが保持される。ここで連結ピン５１１はこれより３つのコイルバネ５６を放射方向に引き出し、各バネ５６の他端を第二フレーム７０側より貫通穴７１１に遊嵌された係止片５７に係止している。この場合、各バネ５６には同等の引っ張り弾性力が加わる余蘊設定し、連結ピン５１１と第二フレーム７０側の穴５２１との嵌合部に定常状態ですき間αを保持できるように設定する。
【００３１】
この第３実施形態では、第２実施形態と同様に、第一フレーム６０と、第二フレーム７０とがバネ５６で連結されることで、装置筐体１１０から同時に引き出し可能となり、従来の一体フレームと同様のベルト着脱性が得られる。更に、第二フレーム７０側の二次転写部ａ２に記録紙Ｐが突入した際の衝撃を、バネ５６（弾性部材）の弾性変位により減衰する。このため、衝撃を一次転写部ａ１（第一フレーム）側に伝えないようにできるし、第二フレーム７０の基準穴ｎ２より位置決め用のピンｓ２を経て装置筐体１１０側に衝撃を拡散減衰させることもできる。
なお、図１の転写装置を備えた画像形成装置はフルカラー画像を形成するカラープリンタＭ１としたが、多色画像を形成するプリンタとしてもよい。更に、本発明は、図１のカラープリンタＭ１に代えて、カラー複写機や、これらの複合機等にも適用可能であり、同様の効果が得られる。
【符号の説明】
【００３２】
１（１Ｙ、１Ｍ、１Ｃ、１Ｋ）    感光体ドラム
５（５Ｙ、５Ｍ、５Ｃ、５Ｋ）    １次転写ローラ
６    中間転写ベルト（中間転写体）
７    ベルト駆動ローラ（架設ローラ）
５０    テンション付加ローラ（架設ローラ）
９    ２次転写ローラ
１１    ２次転写対向ローラ（架設ローラ）
６０    第一フレーム（フレーム）
７０    第二フレーム（フレーム）
１００    プリンタ（画像形成装置）
１１０    装置筐体
ｐ１一次転写部
ｐ２    二次転写部
Ｍ１    転写装置
Ｐ    記録紙（記録媒体）
【先行技術文献】
【特許文献】
【００３３】
【特許文献１】特開２００８−０５８４３７号公報
【特許文献２】特開２００９−０７５５４８号公報
【図１】
2014085601.tif 000003
【図２】
2014085601.tif 000004
【図３】
2014085601.tif 000005
【図４】
2014085601.tif 000006
【図５】
2014085601.tif 000007
【図６】
2014085601.tif 000008
【図７】
2014085601.tif 000009
【図８】
2014085601.tif 000010